(57)【要約】【課題】ユーザによる迅速な画像確認を可能とする画像表示装置、画像表示方法および画像表示プログラムを提供すること。【解決手段】記憶部４０に格納された複数の画像を撮像順にしたがって順次表示する画像表示装置４において、表示される画像として、格納された複数の画像あるいは格納された複数の画像から予め所定の抽出条件で抽出された抽出画像のいずれかを指示する画像指示情報を入力する入力部２０と、表示部３０の所定の領域に表示される画像を画像指示情報によって指示された画像に切り替え、該切り替えた画像を所定の表示領域に表示させる表示制御部５２と、を備える。【選択図】      図２
2006055262.tif 000002
【特許請求の範囲】
【請求項１】
格納された複数の画像を撮像順にしたがって順次表示する表示手段を備えた画像表示装置において、
前記表示手段に対して、格納された前記複数の画像から所定の抽出条件で予め抽出された抽出画像を表示させる制御手段を備えたことを特徴とする画像表示装置。
【請求項２】
前記表示手段に表示される画像として、格納された前記複数の画像あるいは前記抽出画像のいずれかを指示する画像指示情報を入力する入力手段を備え、
前記制御手段は、前記表示手段が所定の領域に表示する画像を前記画像指示情報によって指示された画像に切り替え、前記表示手段に対して該切り替えた画像を前記所定の表示領域に表示させることを特徴とする請求項１に記載の画像表示装置。
【請求項３】
前記制御手段は、格納された前記複数の画像から、前記所定の表示領域に表示された前記抽出画像のフレームに比して前および／または後のフレームの所定数分の画像を前後画像として抽出し、前記表示手段に対して、該前後画像を前記抽出画像の表示位置に対応させて表示させることを特徴とする請求項２に記載の画像表示装置。
【請求項４】
前記制御手段は、前記前後画像と該前後画像に対応する前記抽出画像とをもとに静止画像ファイルを生成し、該静止画像ファイルを出力することを特徴とする請求項３に記載の画像表示装置。
【請求項５】
前記制御手段は、前記前後画像と該前後画像に対応する前記抽出画像とをもとに動画像ファイルを生成し、該動画像ファイルを出力することを特徴とする請求項３に記載の画像表示装置。
【請求項６】
格納された前記複数の画像は、被検体内部を撮像した画像であることを特徴とする請求項１〜５のいずれか一つに記載の画像表示装置。
【請求項７】
前記制御手段は、前記抽出画像および前記前後画像における前記被検体の識別情報を前記静止画像ファイルあるいは前記動画像ファイルに対応づけて出力することを特徴とする請求項６に記載の画像表示装置。
【請求項８】
前記所定の抽出条件は、前記被検体の異常部が撮像されていることを特徴とする請求項６または７に記載の画像表示装置。
【請求項９】
前記異常部は、出血部であることを特徴とする請求項８に記載の画像表示装置。
【請求項１０】
格納された複数の画像を撮像順にしたがって順次表示する画像表示方法において、
表示される画像として、格納された前記複数の画像あるいは格納された前記複数の画像から所定の抽出条件で予め抽出された抽出画像のいずれかを指示する画像指示情報を入力する入力ステップと、
表示手段の所定の表示領域に表示される画像を前記画像指示情報によって指示された画像に切り替える切り替えステップと、
該切り替えた画像を前記所定の表示領域に表示する表示ステップと、
を含むことを特徴とすることを特徴とする画像表示方法。
【請求項１１】
格納された前記複数の画像から、前記所定の表示領域に表示された前記抽出画像のフレームに比して前および／または後のフレームの所定数分の画像を前後画像として抽出する抽出ステップを含み、
前記表示ステップは、該前後画像を前記抽出画像の表示位置に対応させて表示することを特徴とする請求項１０に記載の画像表示方法。
【請求項１２】
前記抽出ステップにおいて抽出された前記前後画像と該前後画像に対応する前記抽出画像とをもとに静止画像ファイルまたは動画像ファイルを生成し、該静止画像ファイルまたは該動画像ファイルを出力する画像ファイル出力ステップを備えたことを特徴とする請求項１１に記載の画像表示方法。
【請求項１３】
格納された複数の画像を撮像順にしたがって順次表示する画像表示プログラムにおいて、
表示される画像として、格納された前記複数の画像あるいは格納された前記複数の画像から所定の抽出条件で予め抽出された抽出画像のいずれかを指示する画像指示情報を入力する入力手順と、
表示手段の所定の表示領域に表示される画像を前記画像指示情報によって指示された画像に切り替える切り替え手順と、
該切り替えた画像を前記所定の表示領域に表示する表示手順と、
を含むことを特徴とする画像表示プログラム。
【請求項１４】
格納された前記複数の画像から、前記所定の表示領域に表示された前記抽出画像のフレームに比して前および／または後のフレームの所定数分の画像を前後画像として抽出する抽出手順を含み、
前記表示手順は、該前後画像を前記抽出画像の表示位置に対応させて表示することを特徴とする請求項１３に記載の画像表示プログラム。
【請求項１５】
前記抽出手順において抽出された前記前後画像と該前後画像に対応する前記抽出画像とをもとに静止画像ファイルまたは動画像ファイルを生成し、該静止画像ファイルまたは該動画像ファイルを出力する画像ファイル出力手順を備えたことを特徴とする請求項１４に記載の画像表示プログラム。
【発明の詳細な説明】
【技術分野】
【０００１】
この発明は、格納された複数の画像を撮像順にしたがって順次表示する画像表示装置、画像表示方法および画像表示プログラムに関する。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、たとえば、胃、小腸などの臓器の内部をその蠕動運動にしたがって移動し、移動にともない、たとえば０．５秒間隔で被検体内画像の撮像を行う機能を有する。
【０００３】
体腔内を移動する間、カプセル型内視鏡によって撮像された画像データは、順次無線通信により外部に送信された外部に設けられたメモリに蓄積される。無線通信機能とメモリ機能とを備えた受信機を携帯することにより、被検体は、カプセル型内視鏡を飲込んだ後、排出されるまでの間にわたって、自由に行動できる。カプセル型内視鏡が排出された後、医者もしくは看護士においては、メモリに蓄積された画像データに基づいて臓器の画像をディスプレイに表示させて診断を行うことができる（特許文献１参照）。
【０００４】
【特許文献１】特開２００３−１９１１１号公報
【発明の開示】
【発明が解決しようとする課題】
【０００５】
ところで、近年、カプセル型内視鏡によって撮像された画像の中から、画像処理によって自動的に出血部位を含む画像を抽出する技術が提案されている。しかしながら、従来では、メモリに蓄積された画像がディスプレイに順次表示され、抽出画像が表示された場合に所定のマーキングが表示されていた。医師もしくは看護士は、抽出画像の確認のためにディスプレイに表示される画像を一枚ずつ確認する必要があったため、撮像された画像の確認時間に多くの時間を費やしていた。また、表示された抽出画像が被検体内部のどの位置で撮像されたかが分かりにくく、医師や看護士による迅速な診断ができない場合があった。
【０００６】
この発明は、上記した従来技術の欠点に鑑みてなされたものであり、ユーザによる迅速な画像確認を可能とする画像表示装置、画像表示方法および画像表示プログラムを提供することを目的とする。
【課題を解決するための手段】
【０００７】
上述した課題を解決し、目的を達成するために、この発明にかかる画像表示装置は、格納された複数の画像を撮像順にしたがって順次表示する表示手段を備えた画像表示装置において、前記表示手段に対して、格納された前記複数の画像から所定の抽出条件で予め抽出された抽出画像を表示させる制御手段を備えたことを特徴とする。
【０００８】
また、この発明にかかる画像表示装置は、前記表示手段に表示される画像として、格納された前記複数の画像あるいは前記抽出画像のいずれかを指示する画像指示情報を入力する入力手段を備え、前記制御手段は、前記表示手段が所定の領域に表示する画像を前記画像指示情報によって指示された画像に切り替え、前記表示手段に対して該切り替えた画像を前記所定の表示領域に表示させることを特徴とする。
【０００９】
また、この発明にかかる画像表示装置は、前記制御手段は、格納された前記複数の画像から、前記所定の表示領域に表示された前記抽出画像のフレームに比して前および／または後のフレームの所定数分の画像を前後画像として抽出し、前記表示手段に対して、該前後画像を前記抽出画像の表示位置に対応させて表示させることを特徴とする。
【００１０】
また、この発明にかかる画像表示装置は、前記制御手段は、前記前後画像と該前後画像に対応する前記抽出画像とをもとに静止画像ファイルを生成し、該静止画像ファイルを出力することを特徴とする。
【００１１】
また、この発明にかかる画像表示装置は、前記制御手段は、前記前後画像と該前後画像に対応する前記抽出画像とをもとに動画像ファイルを生成し、該動画像ファイルを出力することを特徴とする。
【００１２】
また、この発明にかかる画像表示装置は、格納された前記複数の画像は、被検体内部を撮像した画像であることを特徴とする。
【００１３】
また、この発明にかかる画像表示装置は、前記制御手段は、前記抽出画像および前記前後画像における前記被検体の識別情報を前記静止画像ファイルあるいは前記動画像ファイルに対応づけて出力することを特徴とする。
【００１４】
また、この発明にかかる画像表示装置は、前記所定の抽出条件は、前記被検体の異常部が撮像されていることを特徴とする。
【００１５】
また、この発明にかかる画像表示装置は、前記異常部は、出血部であることを特徴とする。
【００１６】
また、この発明にかかる画像表示方法は、格納された複数の画像を撮像順にしたがって順次表示する画像表示方法において、表示される画像として、格納された前記複数の画像あるいは格納された前記複数の画像から所定の抽出条件で予め抽出された抽出画像のいずれかを指示する画像指示情報を入力する入力ステップと、表示手段の所定の表示領域に表示される画像を前記画像指示情報によって指示された画像に切り替える切り替えステップと、該切り替えた画像を前記所定の表示領域に表示する表示ステップと、を含むことを特徴とすることを特徴とする。
【００１７】
また、この発明にかかる画像表示方法は、格納された前記複数の画像から、前記所定の表示領域に表示された前記抽出画像のフレームに比して前および／または後のフレームの所定数分の画像を前後画像として抽出する抽出ステップを含み、前記表示ステップは、該前後画像を前記抽出画像の表示位置に対応させて表示することを特徴とする。
【００１８】
また、この発明にかかる画像表示方法は、前記抽出ステップにおいて抽出された前記前後画像と該前後画像に対応する前記抽出画像とをもとに静止画像ファイルまたは動画像ファイルを生成し、該静止画像ファイルまたは該動画像ファイルを出力する画像ファイル出力ステップを備えたことを特徴とする。
【００１９】
また、この発明にかかる画像表示プログラムは、格納された複数の画像を撮像順にしたがって順次表示する画像表示プログラムにおいて、表示される画像として、格納された前記複数の画像あるいは格納された前記複数の画像から所定の抽出条件で予め抽出された抽出画像のいずれかを指示する画像指示情報を入力する入力手順と、表示手段の所定の表示領域に表示される画像を前記画像指示情報によって指示された画像に切り替える切り替え手順と、該切り替えた画像を前記所定の表示領域に表示する表示手順と、を含むことを特徴とする。
【００２０】
また、この発明にかかる画像表示プログラムは、格納された前記複数の画像から、前記所定の表示領域に表示された前記抽出画像のフレームに比して前および／または後のフレームの所定数分の画像を前後画像として抽出する抽出手順を含み、前記表示手順は、該前後画像を前記抽出画像の表示位置に対応させて表示することを特徴とする。
【００２１】
また、この発明にかかる画像表示プログラムは、前記抽出手順において抽出された前記前後画像と該前後画像に対応する前記抽出画像とをもとに静止画像ファイルまたは動画像ファイルを生成し、該静止画像ファイルまたは該動画像ファイルを出力する画像ファイル出力手順を備えたことを特徴とする。
【発明の効果】
【００２２】
本発明によれば、格納された複数の画像の中から予め所定の抽出条件で抽出された抽出画像を表示させる制御手段を備えるため、ユーザによる迅速な抽出画像の確認を可能とするという効果を奏する。
【発明を実施するための最良の形態】
【００２３】
以下、図面を参照して、この発明の実施の形態である画像表示装置について説明する。なお、この実施の形態によりこの発明が限定されるものではない。また、図面の記載において、同一部分には同一の符号を付している。また、本実施の形態にかかる画像表示装置として、カプセル型内視鏡を用いた被検体内情報取得システムにおける画像表示装置を例として説明する。
【００２４】
（実施の形態１）
まず、実施の形態１にかかる画像表示装置について説明する。本実施の形態１にかかる画像表示装置は、表示画面に表示される画像を簡易に切り替え、表示画面に抽出画像または撮像画像のいずれかを表示する。
【００２５】
図１は、本実施の形態における被検体内情報取得システムの全体構成を示す模式図である。図１に示すように、本実施の形態における被検体内情報取得システムは、受信機能を有する受信装置２と、被検体１の体内に導入され、体腔内画像を撮像して受信装置２に対してデータ送信を行うカプセル型内視鏡３とを備える。また、被検体内情報取得システムは、受信装置２が受信したデータに基づいて体腔内画像を表示する画像表示装置４と、受信装置２と画像表示装置４との間のデータ受け渡しを行うための携帯型記録媒体５とを備える。受信装置２は、被検体１によって着用される受信ジャケット２ａと、受信ジャケット２ａを介して受信される無線信号の処理等を行う外部装置２ｂとを備える。
【００２６】
画像表示装置４は、カプセル型内視鏡３によって撮像された体腔内画像を表示するためのものであり、携帯型記録媒体５によって得られるデータに基づいて画像表示を行うワークステーション等を有する。画像表示装置４は、カプセル型内視鏡３が撮像した複数の静止画像を撮像順にしたがって順次表示する。以下、この順次表示された画像を擬似動画像という。また、画像表示装置４は、所定の抽出条件をもとに画像処理によって抽出された抽出画像を表示する。
【００２７】
携帯型記録媒体５は、外部装置２ｂおよび画像表示装置４に対して着脱可能であって、両者に対する挿着時に情報の出力または記録が可能な構造を有する。具体的には、携帯型記録媒体５は、カプセル型内視鏡３が被検体１の体腔内を移動している間は外部装置２ｂに挿着されてカプセル型内視鏡３から送信されるデータを記録する。そして、カプセル型内視鏡３が被検体１から排出された後、つまり、被検体１の内部の撮像が終った後には、外部装置２ｂから取り出されて画像表示装置４に挿着され、画像表示装置４によって記録したデータが読み出される構成を有する。外部装置２ｂと画像表示装置４との間のデータの受け渡しをコンパクトフラッシュ（登録商標）メモリ等の携帯型記録媒体５によって行う構成以外にも、外部装置２ｂと画像表示装置４との間を有線接続する構成をとることも可能である。
【００２８】
ここで、図２を参照して画像表示装置４について説明する。図２は、図１に示す画像表示装置４の概略構成を示すブロック図である。図２に示すように、画像表示装置４は、入力部２０、表示部３０、記憶部４０、制御部５０を備える。
【００２９】
入力部２０は、キーボードやマウスなどのポインティングデバイスなどによって実現され、画像表示装置４の動作指示および画像表示装置４が行なう処理の指示情報を入力し、各指示情報を制御部５０に送出する。入力部２０は、表示部３０に表示される画像として、擬似動画像または所定の抽出条件をもとに画像処理部５１によって抽出された抽出画像のいずれかを指示する画像指示情報を入力する。
【００３０】
表示部３０は、ＣＲＴディスプレイ、液晶ディスプレイ等によって実現され、入力部２０の指示情報あるいは指示結果などを表示する。表示部３０は、制御部５０の制御のもと、所定の画像表示領域に擬似動画像または抽出画像のいずれかを表示する。
【００３１】
記憶部４０は、たとえばハードディスク装置などによって実現される。記憶部４０には、各種画像などが保持され、特に、カプセル型内視鏡３によって撮像された画像群Ｐａおよび制御部５０の画像処理部５１によって抽出された抽出画像群ＰｂがそれぞれフォルダＦ１，Ｆ２内に格納される。
【００３２】
制御部５０は、入力部２０、表示部３０、記憶部４０の各処理または動作を制御する。制御部５０は、画像処理部５１および表示制御部５２を備える。画像処理部５１は、フォルダＦ１に格納された複数の画像の中から所定の抽出条件を有する画像を抽出する。画像処理部５１は、特願２００４−１２０３６７に示すように、画像の中に色度図における所定の色情報に該当する領域が所定面積以上含まれていた場合、この画像を抽出画像として抽出する。たとえば、画像処理部５１は、画像の色情報のうち赤色要素の有無および分布をもとに出血部の有無を判断し、出血部があると判断した画像を抽出画像として抽出する。表示制御部５２は、表示部３０における画像表示処理を制御するとともに、入力部２０から入力された画像指示情報をもとに、表示部３０が所定の画像表示領域に表示する画像を画像指示情報において指示された擬似動画像または抽出画像のいずれかの画像に切り替え、表示部３０に対して、この切り替えた画像を所定の画像表示領域に表示させる。
【００３３】
つぎに、図３を参照して、制御部５０による画像表示処理手順について説明する。図３において、制御部５０は、入力部２０からの擬似動画像表示を指示する指示情報があったか否かを判断する（ステップＳ１０２）。制御部５０は、擬似動画像表示を指示する指示情報があるまでステップＳ１０２の判断を繰り返す。制御部５０が擬似動画像表示を指示する指示情報があったと判断した場合（ステップＳ１０２：Ｙｅｓ）、表示制御部５２は、画像表示領域にフォルダＦ１に格納された複数の画像を撮像順にしたがって順次表示させて、擬似動画像表示を行わせる（ステップＳ１０４）。
【００３４】
表示制御部５２は、入力部２０からの画像表示の終了を指示する指示情報があるか否かを判断し（ステップＳ１０６）、この指示情報があった場合には（ステップＳ１０６：Ｙｅｓ）、表示部３０における画像表示を終了する。この場合、表示部３０の画像表示領域における擬似動画像表示が終了する。これに対し、表示制御部５２は、入力部２０からの画像表示の終了を指示する指示情報がないと判断した場合（ステップＳ１０６：Ｎｏ）、表示制御部５２が画像群Ｐａの最終画像まで表示したか否かを判断する（ステップＳ１０８）。表示制御部５２は、画像群Ｐａの最終画像まで表示したと判断した場合（ステップＳ１０８：Ｙｅｓ）、表示部３０の画像表示領域における擬似動画像表示を終了する。
【００３５】
一方、表示制御部５２が画像群Ｐａの最終画像まで表示していないと判断した場合（ステップＳ１０８：Ｎｏ）、表示制御部５２は、入力部２０からの画像指示情報の有無をもとに、表示部３０に対する抽出画像の表示指示があるか否かを判断する（ステップＳ１１０）。表示制御部５２は、抽出画像の表示指示がないと判断した場合（ステップＳ１１０：Ｎｏ）、ステップＳ１０４に進み、表示部３０に対して擬似動画像の表示を継続させる。
【００３６】
また、表示制御部５２は、抽出画像の表示指示があると判断した場合（ステップＳ１１０：Ｙｅｓ）、表示部３０の画像表示領域に表示する画像を抽出画像に切り替え、表示部３０に対して、記憶部４０のフォルダＦ２に格納された抽出画像群Ｐｂの抽出画像を画像表示領域に表示させる。（ステップＳ１１２）。
【００３７】
つぎに、表示制御部５２は、ステップＳ１０６と同様に、入力部２０からの画像表示の終了を指示する指示情報があるか否かを判断し（ステップＳ１１４）、この指示情報があった場合には（ステップＳ１１４：Ｙｅｓ）、表示部３０における画像表示を終了する。この場合、表示部３０の画像表示領域における抽出画像表示が終了する。これに対し、表示制御部５２は、入力部２０からの画像表示の終了を指示する指示情報がないと判断した場合（ステップＳ１１４：Ｎｏ）、表示部３０が抽出画像群である画像群Ｐｂの最終画像まで表示したか否かを判断する（ステップＳ１１６）。表示制御部５２は、表示部３０が画像群Ｐｂの最終画像まで表示したと判断した場合（ステップＳ１１６：Ｙｅｓ）、表示部３０の画像表示領域における抽出画像表示を終了する。
【００３８】
一方、表示制御部５２は、表示部３０が画像群Ｐｂの最終画像まで表示していないと判断した場合（ステップＳ１１６：Ｎｏ）、入力部２０からの画像指示情報の有無をもとに、フォルダＦ１に格納された画像の擬似動画像の表示指示、すなわち、全画像の表示指示があるか否かを判断する（ステップＳ１１８）。表示制御部５２は、全画像の表示指示がないと判断した場合（ステップＳ１１８：Ｎｏ）、ステップＳ１１２に進み、表示部３０に対して抽出画像の表示を継続させる。
【００３９】
また、表示制御部５２は、全画像の表示指示があると判断した場合（ステップＳ１１８：Ｙｅｓ）、ステップＳ１０４に進み、表示部３０の画像表示領域に表示する画像を擬似動画像に切り替え、表示部３０に対して、記憶部４０のフォルダＦ１に格納された画像群Ｐａの画像を画像表示領域に順次表示させる擬似動画像表示を行う。
【００４０】
つぎに、図４および図５を参照して、表示部３０の表示画面上における擬似動画像および抽出画像の切り替えについて説明する。図４および図５は、表示部３０の表示画面の一例を示す図であり、表示部３０の表示画面には、ウィンドウＷが表示される。ウィンドウＷは、大きくは、画像表示領域Ａ１および画像指示表示領域Ａ２を有し、画像表示領域Ａ１の上部には画像指示表示領域Ａ２が表示され、画像表示領域Ａ１の下部には、再生ボタン２４を含む各種動画表示制御ボタンが表示される。画像表示領域Ａ１には、画像指示情報において指示された擬似動画像または抽出画像のいずれかが表示される。画像指示表示領域Ａ２には、画像表示領域Ａ１に表示される画像をそれぞれ表示したボタンが表示される。このボタンのうち、「全画像」と表示された全画像表示ボタン２５は、擬似動画像の表示モードに対応し、「抽出画像」と表示された抽出画像表示ボタン２６は抽出画像の表示モードに対応する。
【００４１】
ここで、図４を参照して、画像表示領域に表示される画像の切り替えについて説明する。たとえば、入力部２０のマウスなどの動作により、図４に示すカーソル２３が再生ボタン２４上に移動され、マウスの左ボタンがクリックされることによって、擬似動画表示の開始を指示する指示情報が入力部２０から制御部５０に入力される。この結果、画像表示領域Ａ１には、フォルダＦ１に格納された画像群Ｐａのうち画像Ｐ１，Ｐ２が撮像順にしたがって擬似動画像として表示される。画像表示領域Ａ１には、ユーザが画像指示表示領域Ａ２上の抽出画像表示ボタン２６を選択しない限り、フォルダＦ１に格納された画像が擬似動画像として撮像順にしたがって順次表示される。
【００４２】
そして、ユーザが、画像表示領域Ａ１に表示される画像を擬似動画像から抽出画像に変更したい場合には、ユーザは、入力部２０のマウスを動かし、カーソル２３を画像指示表示領域Ａ２上の抽出画像表示ボタン２６上に移動させ、クリックする。このようなユーザの動作によって、入力部２０は、抽出画像表示ボタン２６を選択し、表示制御部５２に対して画像表示領域Ａ１に表示する画像を抽出画像に指示する画像指示情報を入力する。その後、表示制御部５２は、この画像指示情報にしたがい、画像表示領域Ａ１に表示する画像を擬似動画像である「全画像」から「抽出画像」に切り替える。そして、表示制御部５２は、表示部３０に対して、この切り替えた抽出画像を画像表示領域Ａ１に表示させる。この結果、図５に示すように、画像表示領域Ａ１には、フォルダＦ２に格納された画像であって、たとえば出血部３２を含む抽出画像Ｐｅ１１，Ｐｅ３１が撮像順にしたがって表示される。画像表示領域Ａ１には、ユーザが画像指示表示領域Ａ２上の全画像表示ボタン２５を選択しない限り、フォルダＦ２に格納された抽出画像が撮像順にしたがって順次表示される。
【００４３】
さらに、ユーザが抽出画像の表示中に画像表示領域Ａ１に表示される画像を擬似動画像に切り替える場合、マウスを動かし、カーソル２３を全画像表示ボタン２５上に移動させ、マウスの左ボタンをクリックする。この結果、入力部２０は、画像表示領域Ａ１に表示される画像を擬似動画像表示に切り替える画像指示情報を制御部５０に入力する。表示制御部５２は、この画像指示情報にしたがって、画像表示領域Ａ１に表示される画像を抽出画像から擬似動画像に切り替え、表示部３０に対して擬似動画像表示を行わせる。
【００４４】
このように、本実施の形態１にかかる画像表示装置４は、表示部３０に対して、格納された複数の画像の中から予め所定の抽出条件で抽出された抽出画像を表示させるため、ユーザによる迅速な抽出画像の確認を可能にするという効果を奏する。また、本実施の形態１にかかる画像表示装置４は、表示部３０の画像表示領域に表示される画像を擬似動画像または抽出画像のいずれかに簡易に切り替えることができるため、ユーザは、画像表示領域に表示される画像を自由に切り替えることができる。したがって、本実施の形態１にかかる画像表示装置４によれば、ユーザによる迅速かつ柔軟な画像確認を実現することができるという効果を奏する。
【００４５】
なお、本実施の形態１では、図５に示すように、抽出画像として出血部３２を含む抽出画像Ｐｅ１１，Ｐｅ３１を表示する場合について説明したが、表示する抽出画像を各種抽出条件などに応じて選択できるとしてもよい。たとえば、画像処理部５１は、出血部を含む出血画像、腫瘍を含む腫瘍画像、クローン病部位を含むクローン病画像、および、食道、胃、小腸などの各撮像位置に対応する画像をそれぞれ抽出するとして説明する。また、抽出画像として、各ユーザがそれぞれ選択した画像も含まれる場合もある。この場合、図６に示すように、ユーザは、擬似動画像表示から抽出画像表示に切り替える際、抽出画像ボタン２６を選択する。そして、ユーザは、メニューＭ１に示す各抽出条件の中から表示させたい抽出条件上にカーソル２３を移動させ、クリックすることによって、所望の抽出条件で抽出された抽出画像を選択することができる。この結果、画像表示領域Ａ１には、ユーザが選択した抽出条件に応じた抽出画像が表示される。
【００４６】
（実施の形態２）
つぎに、実施の形態２について説明する。実施の形態２では、抽出画像とともに該抽出画像の前のフレームまたは後のフレームの画像を表示させるため、ユーザは、表示された抽出画像が被検体内部のどの位置で撮像されたかを迅速に確認することができる。
【００４７】
図７は、実施の形態２にかかる画像表示装置の概略構成を示すブロック図である。図７に示すように、実施の形態２にかかる画像表示装置２０４は、実施の形態１にかかる制御部５０に比して、前後画像抽出部２５３をさらに備えた制御部２５０を有する。入力部２０は、表示部３０の画像表示領域に表示された抽出画像の１フレーム前または１フレーム後のいずれかの画像の表示を指示するフレーム情報を入力する。前後画像抽出部２５３は、入力部２０から入力されたフレーム情報をもとに、記憶部４０のフォルダＦ１に格納された画像群Ｐａの中から、画像表示領域に表示された抽出画像の１フレーム前または１フレーム後の画像を前後画像として抽出する。表示制御部５２は、表示部３０に対して、所定の前後画像表示領域に前後画像抽出部２５３が抽出した画像を表示させる。
【００４８】
つぎに、図８を参照して、画像表示装置２０４における制御部２５０による画像表示処理手順について説明する。まず、制御部２５０は、図３に示すステップＳ１０２〜ステップＳ１１２と同様に、擬似動画像表示指示に対する判断処理（ステップＳ２０２）、擬似動画像表示処理（ステップＳ２０４）、画像表示終了指示に対する判断処理（ステップＳ２０６）、最終画像表示に対する判断処理（ステップＳ２０８）、抽出画像表示指示に対する判断処理（ステップＳ２１０）、抽出画像表示処理（ステップＳ２１２）を行う。
【００４９】
その後、前後画像抽出部２５３は、入力部２０から入力されたフレーム情報の有無をもとに、画像表示領域に表示された抽出画像の１フレーム前または１フレーム後の画像の表示指示があるか否かを判断する（ステップＳ２１４）。
【００５０】
前後画像抽出部２５３が画像表示領域に表示された抽出画像の１フレーム前または１フレーム後の画像の表示指示があると判断した場合（ステップＳ２１４：Ｙｅｓ）、表示制御部５２と前後画像抽出部２５３とは、画像表示領域に表示された抽出画像の１フレーム前または１フレーム後の画像を表示部３０に対して表示させる前後フレーム画像表示処理を行う（ステップＳ２１６）。前後フレーム画像表示処理では、まず、前後画像抽出部２５３が、フォルダＦ１に格納された画像群Ｐａから、フレーム情報の指示に応じて、画像表示領域に表示された抽出画像の１フレーム前または１フレーム後の画像を抽出する。その後、表示制御部５２は、表示部３０に対して、前後画像抽出部２５３が抽出した画像を所定の前後画像表示領域に表示させる。
【００５１】
前後フレーム画像表示処理（ステップＳ２１６）後または前後画像抽出部２５３が画像表示領域に表示された抽出画像の１フレーム前または１フレーム後の画像の表示指示がないと判断した場合（ステップＳ２１４：Ｎｏ）、図３に示すステップＳ１１４〜ステップＳ１１８と同様に、画像表示終了指示に対する判断処理（ステップＳ２１８）、最終画像表示に対する判断処理（ステップＳ２２０）、擬似動画像表示である全画像表示指示に対する判断処理（ステップＳ２２２）を行う。
【００５２】
つぎに、図９および図１０を参照して、表示部３０の表示画面上における前後画像表示について説明する。図９および図１０は、表示部３０の表示画面の一例を示す図である。ウィンドウＷには、前後画像表示制御領域Ａ３および前後画像を表示する前後画像表示領域Ａ４がさらに設けられ、画像表示領域Ａ１の下部に前後画像表示領域Ａ４が表示され、前後画像表示領域Ａ４の下部に前後画像表示制御領域Ａ３が表示される。前後画像表示制御領域Ａ３には、後フレームボタン２７、前フレームボタン２８の各種前後画像表示制御処理を示すボタン画像が表示される。前後画像表示領域Ａ４には、画像表示領域Ａ１に表示された各画像に応じた前後画像が表示される。図９では、たとえば、画像表示領域Ａ１に抽出画像Ｐｅ１１，Ｐｅ３１が表示される。
【００５３】
まず、図９を参照して、抽出画像Ｐｅ１１，Ｐｅ３１の１フレーム後の画像を前後画像として表示する場合について説明する。ユーザは、カーソル２３を後フレームボタン２７上に移動し、マウスの左ボタンをクリックする。前後画像抽出部２５３は、抽出画像Ｐｅ１１，Ｐｅ３１の１フレーム後の画像の表示を指示するフレーム情報が入力されると、この指示にしたがって、フォルダＦ１に格納された画像群Ｐａから、抽出画像Ｐｅ１１の１フレーム後の画像Ｐ１２と、抽出画像Ｐｅ３１の１フレーム後の画像Ｐ３２とを抽出する。表示制御部５２は、表示部３０に対して、前後画像抽出部２５３が抽出した画像Ｐ１２，Ｐ３２を抽出画像Ｐｅ１１，Ｐｅ３１の表示位置に対応させて前後画像表示領域Ａ４に表示させる。したがって、図９に示すように、ウィンドウＷの前後画像表示領域Ａ４には、抽出画像Ｐｅ１１の１フレーム後の画像Ｐ１２と、抽出画像Ｐｅ３１の１フレーム後の画像Ｐ３２とが抽出画像Ｐｅ１１，Ｐｅ３１の表示位置に対応して前後画像表示領域Ａ４に表示される。
【００５４】
さらに、抽出画像の１フレーム後の画像とともに、この抽出画像の１フレーム前の画像を表示してもよい。この場合、図１０に示すように、後フレームボタン２７が選択された状態で、カーソル２３を前フレームボタン２８上に移動し、クリックする。前後画像抽出部２５３は、抽出画像Ｐｅ１１，Ｐｅ３１の１フレーム後の画像とともに抽出画像Ｐｅ１１，Ｐｅ３１の１フレーム前の画像の表示を指示するフレーム情報が入力されると、この指示にしたがって、フォルダＦ１に格納された画像群Ｐａから、抽出画像Ｐｅ１１の１フレーム前の画像Ｐ１０と、抽出画像Ｐｅ３１の１フレーム前の画像Ｐ３０とを抽出する。表示制御部５２は、表示部３０に対して、前後画像抽出部２５３が抽出した画像Ｐ１０，Ｐ３０を抽出画像Ｐｅ１１，Ｐｅ３１の表示位置に対応させて前フレーム画像表示領域Ａ６に表示させる。また、画像Ｐ１２，Ｐ３２は、後フレーム画像表示領域Ａ５に表示される。したがって、図１０に示すように、画像表示領域Ａ１の左領域に設けられた前フレーム画像表示領域Ａ６には、抽出画像Ｐｅ１１，Ｐｅ３１の１フレーム前の画像Ｐ１０，Ｐ３０が表示され、画像表示領域Ａ１の右領域に設けられた後フレーム画像表示領域Ａ５には、抽出画像Ｐｅ１１，Ｐｅ３１の１フレーム後の画像Ｐ１２，Ｐ３２が表示される。
【００５５】
このように、本実施の形態２にかかる画像表示装置２０４は、抽出画像とともに該抽出画像の前のフレームおよび後のフレームの画像あるいはいずれか一方のフレームの画像を表示するため、実施の形態１と同様の効果を奏するとともに、ユーザは、表示された抽出画像が被検体内部のどの位置で撮像されたかを迅速に確認することができるという効果を奏する。
【００５６】
（実施の形態３）
つぎに、実施の形態３について説明する。実施の形態３では、抽出画像とともに該抽出画像よりも前のフレームまたは後のフレームの所定数の画像を順次表示または動画形式で表示することによって、ユーザによる抽出画像の被検体内部における位置確認をさらに迅速化することができる。
【００５７】
図１１は、実施の形態３にかかる画像表示装置の概略構成を示すブロック図である。図１１に示すように、本実施の形態３にかかる画像表示装置３０４は、実施の形態２にかかる制御部２５０に比して、画像ファイル生成部３５４をさらに備えた制御部３５０を有する。入力部２０は、所定の画像表示領域に表示された抽出画像と、この抽出画像のフレームに比して前および／または後のフレームの所定数分の画像とをもとに静止画像ファイルまたは動画像ファイルの生成、出力を指示する出力指示情報を制御部３５０に入力する。画像ファイル生成部３５４は、入力部２０からの出力指示情報をもとに、所定の画像表示領域に表示された抽出画像のフレームに比して前および／または後のフレームの所定数分の画像を前後画像としてフォルダＦ１の画像群Ｐａから抽出し、抽出画像と抽出した前後画像をもとに静止画像ファイルまたは動画像ファイルを生成する。画像ファイル生成部３５４は、動画像ファイルを生成する場合、抽出画像と前後画像とを動画変換用の画像処理方法を用いて、たとえばＡＶＩ形式の動画像ファイルに変換する。そして、画像ファイル生成部３５４は、生成した画像ファイルを記憶部４０に出力し、記憶部４０のフォルダＦ３に記憶させる。表示制御部５２は、画像ファイル生成部３５４が生成した静止画像ファイルまたは動画像ファイルをもとに、所定の前後画像表示領域に前後画像と抽出画像とを順次表示または動画形式で表示する。
【００５８】
つぎに、図１２を参照して、制御部３５０による画像表示処理手順について説明する。図１２において、制御部３５０は、図３に示すステップＳ１０２〜ステップＳ１１２と同様に、擬似動画像表示指示に対する判断処理（ステップＳ３０２）、擬似動画像表示処理（ステップＳ３０４）、画像表示終了指示に対する判断処理（ステップＳ３０６）、最終画像表示に対する判断処理（ステップＳ３０８）、抽出画像表示指示に対する判断処理（ステップＳ３１０）、抽出画像表示処理（ステップＳ３１２）を行う。その後、画像ファイル生成部３５４は、入力部２０から入力された出力指示情報の有無をもとに、画像ファイルの出力指示があるか否かを判断する（ステップＳ３１４）。
【００５９】
画像ファイル生成部３５４は、画像ファイル出力指示があると判断した場合（ステップＳ３１４：Ｙｅｓ）、画像ファイル生成部３５４と表示制御部５２とは、所定の画像表示領域に表示された抽出画像と、この抽出画像のフレームに比して前のフレームおよび／または後のフレームの所定数の画像とを含む画像ファイルを生成し、これらの画像ファイルをもとに前後画像表示領域に画像を表示する画像ファイル出力処理を行う（ステップＳ３１６）。
【００６０】
画像ファイル出力処理（ステップＳ３１６）後または画像ファイル出力指示がないと判断した場合（ステップＳ３１４：Ｎｏ）、図３に示すステップＳ１１４〜ステップＳ１１８と同様に、画像表示終了指示に対する判断処理（ステップＳ３１８）、最終画像表示に対する判断処理（ステップＳ３２０）、擬似動画像表示である全画像表示指示に対する判断処理（ステップＳ３２２）を行う。
【００６１】
つぎに、図１３を参照して、図１２に示す画像ファイル出力処理の処理手順について説明する。図１３において、まず、画像ファイル生成部３５４は、入力部２０からの出力指示情報を受信する（ステップＳ３４２）。画像ファイル生成部３５４は、この出力指示情報にしたがって、フォルダＦ１に格納された抽出画像を抽出し、抽出画像の読み出しを行う（ステップＳ３４４）。この場合、画像ファイル生成部３５４が読み出す抽出画像は、画像表示領域に表示された抽出画像である。つぎに、画像ファイル生成部３５４は、出力指示情報にしたがって、読み出しを行った抽出画像のフレームに比して前および／または後のフレームの所定数分の画像を前後画像としてフォルダＦ１から抽出し、前後画像の読み出しを行う（ステップＳ３４６）。そして、画像ファイル生成部３５４は、読み出しを行った抽出画像および前後画像における被検体の識別情報である検査情報を読み出す（ステップＳ３４８）。たとえば、検査情報は、被検体である患者の氏名、識別番号、性別、生年月日である。
【００６２】
その後、画像ファイル生成部３５４は、読み出した抽出画像と前後画像とをもとに静止画像ファイルまたは動画像ファイルを生成する画像ファイル生成処理を行う（ステップＳ３５０）。画像ファイル生成部３５４および表示制御部５２は、生成した画像ファイルを出力する画像ファイル出力処理を行う（ステップＳ３５２）。この画像ファイル出力処理では、画像ファイル生成部３５４は、生成した画像ファイルをフォルダＦ３に出力する。また、表示制御部５２は、画像ファイル生成部３５４が静止画像ファイルを生成した場合には、この静止画像ファイルをもとに所定の前後画像表示領域に前後画像と抽出画像とを順次表示する。一方、表示制御部５２は、画像ファイル生成部３５４が動画像ファイルを生成した場合には、この動画像ファイルをもとに所定の前後画像表示領域に動画を表示する。なお、画像ファイル生成部３５４は、出力指示情報において画像ファイルと検査情報とを対応づけて出力する指示があった場合には、生成した画像ファイルに読み出した検査情報を対応づけてフォルダＦ３に出力する。
【００６３】
つぎに、制御部３５０は、出力指示情報において指示された画像ファイルを全て出力したか否かを判断し（ステップＳ３５４）、画像ファイルを全て出力していないと判断した場合には（ステップＳ３５４：Ｎｏ）、ステップＳ３４４に進み、出力指示情報において指示された画像ファイルの生成を行い、画像ファイルを全て生成したと判断した場合には（ステップＳ３５４：Ｙｅｓ）、画像ファイル出力処理を終了する。
【００６４】
つぎに、図１４を参照して、具体的な操作および処理について説明する。図１４は、表示部３０の表示画面の一例を示す図である。図１４に示すように、ウィンドウＷには、ファイル出力ボタン２９が設けられ、このファイル出力ボタン２９をマウスの左クリックによって選択すると、ファイル出力ウィンドウＭが新たに表示出力される。ファイル出力ウィンドウＭには、フレーム数の記入項目Ｍａ、「前後フレーム」の選択項目Ｍｂ、「検査情報」の選択項目Ｍｃ、「動画出力」の選択項目Ｍｄが示されている。
【００６５】
記入項目Ｍａに記入されたフレーム数は、画像ファイル生成部３５４がフォルダＦ１から抽出する画像枚数に対応し、「前後フレーム」の選択項目Ｍｂは、画像ファイル生成部３５４がフォルダＦ１から抽出画像の前後のフレームの画像を抽出するか否かを選択する項目である。記入項目Ｍａに「１０」フレームが記入され、「前後フレーム」の選択項目Ｍｂが選択された場合、画像ファイル生成部３５４は、画像表示領域に表示された抽出画像と、この抽出画像の１フレーム前から１０フレーム前の画像と、この抽出画像の１フレーム後から１０フレーム後の画像とを抽出する。なお、「前後フレーム」の選択項目Ｍｂが選択されない場合には、デフォルトとして、画像ファイル生成部３５４は、画像表示領域に表示された抽出画像とともに、この抽出画像の１フレーム前から１０フレーム前あるいは１フレーム後から１０フレーム後のいずれかの画像を抽出する設定としてもよい。また、「検査情報」の選択項目Ｍｃは、画像ファイル生成部３５４が生成した画像ファイルに検査情報を対応づけて出力するか否かを選択する項目である。「動画出力」の選択項目Ｍｄは、画像ファイル生成部３５４が生成するファイル形式を動画形式にするか否かを選択する項目である。ユーザは、カーソル２３を各項目上に移動させ、キーボードからの数値入力およびマウスのクリックを行うことによって各項目の選択等を行い、出力される画像ファイルの形式を指示する。入力部２０は、ユーザによって指示された内容の出力指示情報を制御部３５０に入力する。
【００６６】
たとえば、図１４に示すように、フレーム数の記入項目Ｍａに「１０フレーム」を書き込み、「前後フレーム」の選択項目Ｍｂの選択および「動画出力」の選択項目Ｍｄの選択後、出力ボタンＭｅを選択した場合について説明する。この場合、前後画像表示領域Ａ４には、抽出画像Ｐｅｌに対応する動画Ｐｓｌおよび抽出画像Ｐｅｒに対応する動画Ｐｓｒがそれぞれ表示される。動画Ｐｓｌは、抽出画像Ｐｅｌの前後１０フレームに対応する画像２０枚と抽出画像Ｐｅ１に対応する画像をもとに生成された動画像ファイルを用いて表示されたものであり、動画Ｐｓｒは、抽出画像Ｐｅｒの前後１０フレームに対応する画像２０枚と抽出画像Ｐｅｒに対応する画像をもとに生成された動画像ファイルを用いて表示されたものである。なお、「動画出力」の選択項目Ｍｄが選択されない場合には、前後画像表示領域Ａ４には、抽出画像Ｐｅｌの前後１０フレームに対応する画像２０枚および抽出画像Ｐｅｌが撮像順にしたがって順次表示され、抽出画像Ｐｅｒの前後１０フレームに対応する画像２０枚および抽出画像Ｐｅｒが撮像順にしたがって順次表示される。
【００６７】
このように、本実施の形態３では、実施の形態１，２と同様の効果を奏するとともに、抽出画像とともに該抽出画像よりも前および／または後のフレームの所定数分の画像を順次に表示または動画で表示することによって、ユーザによる抽出画像の被検体内部における位置確認をさらに迅速化することができるという効果を奏する。
【００６８】
なお、本実施の形態１〜３では、図４〜図６、図９、図１０および図１４において、画像表示領域Ａ１に２枚の画像を表示した場合について説明したが、もちろん、画像表示領域Ａ１に１枚の画像を表示してもよく、４枚の画像を表示してもよく、表示枚数に制限はない。また、画像表示領域Ａ１に表示する画像の枚数は、入力部２０の指示情報をもとに変更することができるとしてもよい。
【００６９】
また、本実施の形態１〜３では、図２、図７および図１１において抽出画像群Ｐｂを格納したフォルダＦ２を図示したが、フォルダＦ１に格納された画像群Ｐａの画像のうち所定の抽出条件を有する画像に対して抽出画像である旨を示すフラグを付与し、抽出画像を管理してもよい。
【００７０】
また、上記実施の形態１〜３で説明した画像表示装置４，２０４，３０４は、あらかじめ用意されたプログラムをパーソナル・コンピュータやワークステーションなどのコンピュータシステムで実行することによって実現することができる。以下、上記実施の形態で説明した画像表示装置と同様の機能を有する画像表示プログラムを実行するコンピュータシステムについて説明する。
【００７１】
図１５は、上述した実施の形態を用いたコンピュータシステムの構成を示すシステム構成図であり、図１６は、このコンピュータシステムにおける本体部の構成を示すブロック図である。図１５に示すように、本実施の形態１〜３にかかるコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００７２】
また、このコンピュータシステム１００における本体部１０１は、図１６に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００７３】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２、プリンタ１１３などが接続される。
【００７４】
そして、このコンピュータシステム１００は、所定の記録媒体に記録された画像表示プログラムを読み出して実行することで画像表示装置を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な画像表示プログラムを記録する、あらゆる記録媒体を含むものである。
【００７５】
すなわち、画像表示プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から画像表示プログラムを読み出して実行することで画像表示装置および画像表示方法を実現する。なお、画像表示プログラムは、コンピュータシステム１００によって実行されることに限定されるものではなく、他のコンピュータシステム１１１またはサーバ１１２が画像表示プログラムを実行する場合や、これらが協働して画像表示プログラムを実行するような場合にも、本発明を同様に適用することができる。
【図面の簡単な説明】
【００７６】
【図１】実施の形態１における被検体内情報取得システムの全体構成を示す模式図である。
【図２】実施の形態１にかかる画像表示装置の概略構成を示すブロック図である。
【図３】図２に示す制御部による画像表示処理手順を示すフローチャートである。
【図４】図２に示す表示部の表示画面の一例を示す図である。
【図５】図２に示す表示部の表示画面の一例を示す図である。
【図６】図２に示す表示部の表示画面の一例を示す図である。
【図７】実施の形態２にかかる画像表示装置の概略構成を示すブロック図である。
【図８】図７に示す制御部による画像表示処理手順を示すフローチャートである。
【図９】図７に示す表示部の表示画面の一例を示す図である。
【図１０】図７に示す表示部の表示画面の一例を示す図である。
【図１１】実施の形態３にかかる画像表示装置の概略構成を示すブロック図である。
【図１２】図１１に示す制御部による画像表示処理手順を示すフローチャートである。
【図１３】図１２に示す画像ファイル生成処理の処理手順を示すフローチャートである。
【図１４】図１１に示す表示部の表示画面の一例を示す図である。
【図１５】実施の形態１〜３を用いたコンピュータシステムの構成を示す構成図である。
【図１６】図１５に示したコンピュータシステムにおける本体部の構成を示すブロック図である。
【符号の説明】
【００７７】
１  被検体
２  受信装置
２ａ  受信ジャケット
２ｂ  外部装置
４，２０４，３０４  画像表示装置
５  携帯型記録媒体
２０  入力部
３０  表示部
４０  記憶部
５０，２５０，３５０  制御部
５１  画像処理部
５２  表示制御部
２３  カーソル
２４  再生ボタン
２５  全画像表示ボタン
２６  抽出画像表示ボタン
２７  後フレームボタン
２８  前フレームボタン
２９  ファイル出力ボタン
２５３  前後画像抽出部
３５４  画像ファイル生成部
１００  コンピュータシステム
１０１  本体部
１０２  ディスプレイ
１０２ａ  表示画面
１０３  キーボード
１０４  マウス
１０５  モデム
１０６  ローカルエリアネットワークまたは広域エリアネットワーク（ＬＡＮ／ＷＡＮ）
１０７  公衆回線
１０８  フレキシブルディスク（ＦＤ）
１０９  ＣＤ−ＲＯＭ
１１１  他のコンピュータシステム（ＰＣ）
１１２  サーバ
１１３  プリンタ
１２１  ＣＰＵ
１２２  ＲＡＭ
１２３  ＲＯＭ
１２４  ハードディスクドライブ（ＨＤＤ）
１２５  ＣＤ−ＲＯＭドライブ
１２６  ＦＤドライブ
１２７  Ｉ／Ｏインターフェース
１２８  ＬＡＮインターフェース
【図１】
2006055262.tif 000003
【図２】
2006055262.tif 000004
【図３】
2006055262.tif 000005
【図４】
2006055262.tif 000006
【図５】
2006055262.tif 000007
【図６】
2006055262.tif 000008
【図７】
2006055262.tif 000009
【図８】
2006055262.tif 000010
【図９】
2006055262.tif 000011
【図１０】
2006055262.tif 000012
【図１１】
2006055262.tif 000013
【図１２】
2006055262.tif 000014
【図１３】
2006055262.tif 000015
【図１４】
2006055262.tif 000016
【図１５】
2006055262.tif 000017
【図１６】
2006055262.tif 000018